(57)【要約】【課題】静止型における背上げ時のずれ力を低減する構造の簡単化を図る。【解決手段】人がマットレス装置１の上に長手方向６に横たわると、人の肩部や臀部からかかる荷重により、縦スリット部８が短手方向７に広がり、横スリット部９が長手方向６に広がり、第一層２が全体的に張りすぎることがなく、第一層２のハンモック現象が抑制され、縦スイット部９が設けられていないで、横スリット部９が１本でも設けられていれば、横スリット部９が複数本設けられた構成よりも、効果は減少するが、横スリット部９が長手方向６に広がり、第一層２の横スリット部９で長手方向６に分断された範囲が長手方向６に滑動し、上記人への圧迫が少なく、マットレス装置１を背上げ機構付きベッドに用いた場合、第一層２とエアーマットレス４との接触面積の低減により、低背上げ機構で第一層２がエアーマットレス４の起き上がるのに伴い、第一層２が上方に滑る。【選択図】図２
2015107278.tif 000002
【特許請求の範囲】
【請求項１】
複数層からなるマットレス装置であって、上部の第一層には横スリット部が設けられたことを特徴とするマットレス装置。
【請求項２】
横スリット部が複数本で第一層の長手方向に分かれた構成であることを特徴とする請求項１記載のマットレス装置。
【請求項３】
縦スリット部が第一層の上下に貫通した構成であることを特徴とする請求項１又は請求項２記載のマットレス装置。
【請求項４】
第一層の下に複数個の複数個のエアーセルからなるエアーマットレスが配置されたことを特徴とする請求項１記載のマットレス装置。
【発明の詳細な説明】
【技術分野】
【０００１】
本発明は、背上げ機構を有するベッドに用いられるマットレス装置に関する。
【背景技術】
【０００２】
マットレス装置に用いられるマットレスには、静止型と圧切替型がある。静止型は、ウレタンマットレス、空気圧を一定に保つエアーマットレスがある。圧切替型は、空気圧を調整するエアーマットレスになる。静止型でウレタンマットのみのものは、長年の使用によりへたりやすいという問題がある。
【０００３】
図５及び図６は、特許文献１で開示された背上げ機構５５を有するベッド５６に用いられるマットレス装置６１を示す。図５において、マットレス装置６１は、上部の第一層６２、その下の第二層６３、その下の第三層６４からなる複数層のフォームマットレスを備え、第一層６２乃至第三層６４における各層の間にシート状の滑り部材６５；６６を介在させた構造になっている。そして、背上げ機構５５が図６に仮想線で示すように水平になった状態において、ベッド５６の上に置かれたマットレス装置６１の上に人６７が横たわる。その状態において、背上げ機構５５が図６に仮想で示す位置から実線で示す位置に起き上がると、それに伴い、図５に示す第一層６２と第二層６３と第三層６４とが滑り部材６５；６６の滑りによりずれて、図６に示す横たわる人６７の臀部や背中に圧迫感を与えないようになっている。
【０００４】
しかしながら、上記マットレス装置６１は、滑り部材６５；６６が第一層６２乃至第三層６４における各層間に介在させた構造であるので、滑り部材６５；６６を各層間に適切に介在された態様を保つための構造が必要であるという欠点がある。
【先行技術文献】
【特許文献】
【０００５】
【特許文献１】特開２０１３−２１５６２０号公報
【発明の概要】
【発明が解決しようとする課題】
【０００６】
本発明は、上記背景技術に鑑みてなされたものであり、静止型における背上げ時のずれ力を低減する構造が簡単で、へたりが少なく、体圧分散性が良くなることを目的とする。
【課題を解決するための手段】
【０００７】
本発明は、複数層からなるマットレス装置であって、上部の第一層には横スリット部が設けられたことを特徴とする。
【発明の効果】
【０００８】
本発明は、上部の第一層に横スリット部が設けられたことにより、人がマットレス装置に長手方向に横たわった状態において、ベッドを背上げした際、横スリット部で長手方向に分断された範囲が変形し、その変形に伴う滑動により上記人への圧迫が低減できる。本発明において、横スリット部が複数本で第一層の長手方向に分かれた構成であれば、横スリット部で長手方向に分断された範囲が広くなり、上記人への圧迫の低減が良くなる。本発明において、縦スリット部が第一層の上下に貫通した構成であれば、縦スリット部の広がり方が大きくなり、第一層の横スリットで分断された範囲の変形が多く、その滑動により上記人への圧迫の低減が多くなる。本発明において、第一層の下に複数個の複数個のエアーセルからなるエアーマットレスが配置されれば、エアーマットレスが変形し、エアーマットレスの素材の摩擦抵抗が少なく、第一層とエアーセルとの接触面積が小さくなり、第一層が滑動し易くなり、上記人への圧迫が減る。
【図面の簡単な説明】
【０００９】
【図１】発明を実施するための形態１に係るマットレス装置を分解して示す斜視図。
【図２】発明を実施するための形態１に係るマットレス装置の外観を示す斜視図。
【図３】発明を実施するための形態１に係るマットレス装置の作用を説明する側面図に相当する模式図。
【図４】発明を実施するための形態１に係るマットレス装置の作用を説明する側面図に相当する模式図。
【図５】従来のマットレス装置の作用を説明する側面図に相当する模式図。
【図６】従来のマットレス装置の作用を説明する側面図に相当する模式図。
【発明を実施するための形態】
【００１０】
図１を参照し、発明を実施するための形態１に係る複数層からなるマットレス装置１の構造について説明する。図１において、マットレス装置１は、第一層２とその下のエアーマットレス４と制御箱体５とを備える。第一層２は、マットレス装置１の長手方向６に横たわる人の側に位置する上部に配置され、繊維を織らずに絡み合わせてシート状に構成された不織布又はウレタンフォームからなるフォームマットレスにより構成される。第一層２とエアーマットレス４とに関する数値は次の数値に限定されるものではないが、例えば、第一層２の厚みは３５ｍｍ、エアーマットレス４の厚みは６０ｍｍになっている。エアーマットレス４の厚みは、人の荷重を受けず、圧縮空気が最大値と再始動値との範囲としての規定値になっている時の寸法である。大まかには、第一層２の厚みとエアーマットレス４の厚みとは約１対２の比率になっている。
【００１１】
第一層２には、複数本の縦スリット部８と複数本の横スリット部９とが設けられる。縦スリット部８が設けられなくても、発明の実施するための形態の第一層２としては適用可能である。つまり、横スリット部９が１本以上設けられれば、横スリット部９が複数本設けられた構成よりも効果は減少するが、発明の実施するための形態の第一層２としては適用可能である。
【００１２】
縦スリット部８は、第一層２の短手方向７に分かれかつ長手方向６に長い構成であり、例えば、縦スリット部８は、上下方向１０に貫通する切り込み又は貫通孔により構成されるか、第一層２の上部又は内部が残された切り込み又は凹部により構成される。但し、第一層２の上部又は内部が残された切り込み又は凹部により構成された場合よりも、上下方向１０に貫通する切り込み又は貫通孔により構成された方が、縦スリット部８の広がり方が大きくなり、第一層２のハンモック現象を抑制する効果が向上し、体圧分散性が向上する。尚、縦スリット部８は無くても適用可能である。横スリット部９は、第一層２の短手方向７の中央部で長手方向６に分かれかつ短手方向７に長い構成であり、例えば、横スリット部９は、上下方向１０に貫通する切り込み又は貫通孔により構成されるか、第一層２の上部又は内部が残された切り込み又は凹部により構成される。但し、第一層２の上部又は内部が残された切り込み又は凹部により構成された場合よりも、上下方向１０に貫通する切り込み又は貫通孔により構成された方が、横スリット部９の広がり方が大きくなり、第一層２のハンモック現象を抑制する効果が向上し、体圧分散性が向上する。
【００１３】
第一層２において、長手方向６の一端部から他端部の側に頭領域１１、中央領域１２、足領域１３の３つの領域に区分した態様について説明する。長手方向６の一端部がマットレス装置１の長手方向６に横たわる人の頭部側であり、長手方向６の他端部がマットレス装置１の長手方向６に横たわる人の足部側であるとする。
【００１４】
頭領域１１は、第一層２の長手方向６の一端部から第一層２の長手方向６の全長の１／７までの範囲になっている。中央領域１２は、頭領域１１から第一層２の長手方向６の全長１／２の範囲になっている。足領域１３は、中央領域１２から第一層２の長手方向６の他端部までになっている。又、第一層の短手方向７の中央の位置に一点鎖線で示す中心線１４、短手方向７の両端部から短手方向７の全長の１／７だけ短手方向７の内側にそれぞれ寄った位置に仮想線で示す直線１５；１６を図示する。
【００１５】
縦スリット部８について詳述する。縦スリット部８は、第一層２の中央領域１２に対応して直線１５；１６の上に、２本ずつ長手方向６に分かれて設けられた構成である。各縦スリット部８の長手方向６の長さは、第一層２の短手方向７の全長の１／５になっている。
【００１６】
横スリット部９について詳述する。横スリット部９は、第一層２の中央領域１２に８本が長手方向６に等間隔に分かれかつ中心線１４を横切って設けられた構成である。各横スリット部９の短手方向７の長さは、第一層２の短手方向７の全長の１／２から２／３になっている。
【００１７】
エアーマットレス４について詳述する。エアーマットレス４は、空気圧を一定に保つ静止型であり、空気の漏れない材料からなる中空で膨張可能な複数個のエアーセル２７がエアーマットレス４の短手方向７に横長であると共にエアーマットレス４の長手方向６に並列に配置されて互いに連結された構成である。各エアーセル２７がエアーマットレス４の短手方向７に長い中空な造形に構成される。各エアーセル２７がエアーマットレス４の長手方向６に並列に配置されて互いに通気可能に連結されてエアーマットレス４を構成する。
【００１８】
制御箱体５について詳述する。制御箱体５は、内部にポンプ部２９と制御部３０と表示灯部３１を収容した構成である。ポンプ部２９は、制御部３０におけるポンプ駆動回路部から出力された電力により、吸気した外気を圧縮した圧縮空気としてエアーマットレス４に供給する構成である。ポンプ部２９の排気口部とエアーマットレス４の給気口部とが、合成樹脂からなる可撓性の有るエアーホース３２で互いに連結された構成である。
【００１９】
制御部３０には、プラグ部３４を有する電源線３３が接続された構成である。プラグ部３４が室内における商用電源部のコンセント部に接続され、電源スイッチ部の人為的なオン動作により、電源線３３から供給された交流の電力が制御部３０に供給され、制御部３０から交流の電力がポンプ部２９に供給され、又、制御部３０から図外の変換部に供給された交流の電力が直流の電力に変換されて表示灯部３１に供給される構成である。つまり、ポンプ部２９は制御部３０の制御に基づき交流の電力で駆動する構成であり、表示灯部３１は制御部３０の制御に基づき直流の電力で点灯する構成である。
【００２０】
上記制御回路部は、ポンプ部２９からエアーマットレス４の側に供給される空気圧を検出し（以下、検出した空気圧を検出空気圧という）、検出空気圧が制御部３０の記憶部にあらかじめ保存された最大値に到達すると、ポンプ部２９への電力供給を停止し、その後、検出空気圧が最大値から減少し制御部３０の記憶部にあらかじめ保存された再始動値に到達すると、ポンプ部２９への電力供給を再開する構成である。
【００２１】
上記制御回路部の構成により、エアーマットレス４には再始動値と最大値との範囲の空気圧になるように圧縮空気が供給された状態になり、空気圧はエアーセル２７の大きさによって適宜設定される。
【００２２】
又、制御回路部は、最大値と再始動値との範囲としての規定値で駆動するようにポンプ部２９の制御中は、表示回路部の正常点灯回路部に直流を供給する構成である。この制御回路部の構成により、表示灯部３１の緑色を発光するＬＥＤのような表示灯が点灯する。
【００２３】
又、制御回路部が最大値と再始動値との範囲で駆動するようにポンプ部２９の制御中において、例えば、エアーホース３２が外れた、エアーセル２７が破損した等により、ポンプ部２９からエアーマットレス４に圧縮空気が適正に供給されないことから、検出空気圧が規定値を下回った場合、異常を知らせる構成である。
【００２４】
上記制御回路部の異常を知らせる構成により、表示灯部３１のＬＥＤのような表示灯が赤色を発光するように点灯する。表示灯部３１の点灯した態様は、制御箱体５の外部から人により可視できる構成である。
【００２５】
図２を参照し、発明を実施するための形態１に係るマットレス装置１について説明すると、第一層２の下にエアーマットレス４を配置してなるマットレス装置１が図外の袋状に縫製された外装体で包まれる場合、エアーホース３２の一部が外装体の内部から外部に出され、制御箱体５と電源線３２とプラグ部３４とが外装体の外部に配置された態様である。
【００２６】
外装体は制御箱体５を除いたマットレス装置１を包む大きさの袋状に縫製された一部に開閉可能な開口部を備えた構成である。よって、マットレス装置１が外装体の開放された開口部から外装体の内部に収容された後、外装体の開口部が閉じられることにより、マットレス装置１が外装体で包まれる。
【００２７】
第一層２の下にエアーマットレス４を配置してなるマットレス装置１において、人がマットレス装置１の上に長手方向に横たわると、第一層２に縦スリット部８と横スリット部９とが設けられた構成であるので、人の肩部や臀部からかかる荷重により、縦スリット部８が短手方向７に広がり、横スリット部９が長手方向６に広がり、第一層２が全体的に張りすぎることがなく、第一層２のハンモック現象が抑制される。
【００２８】
又、縦スイット部９が設けられていないで、横スリット部９が１本でも設けられていれば、横スリット部９が複数本設けられた構成よりも、効果は減少するが、横スリット部９が長手方向６に広がり、第一層２の横スリット部９で長手方向に分断された範囲が長手方向６に滑動し、マットレス装置１の長手方向６に横たわる人を圧迫することが少ない。
【００２９】
又、縦スリット部８が短手方向７に広がることにより、第一層２が全体的に中央部の側にずれないように抑制され、縦スリット部８よりも外側の両側部分が跳ね上がらないように抑制される。つまり、第一層２に上記のような肩部や臀部等の荷重がかかっても、縦スリット部８と横スリット部９とで仕切られた範囲が部分的に沈み込むことで、第一層２を全体的に引っ張ることがないため、ハンモック現象を発生しにくく体圧分散性が良くなる。
【００３０】
図３及び図４を参照し、マットレス装置１の作用について説明する。図３及び図４では、外装体を省略してある。以下の説明において、制御箱体５、縦スリット部８、横スリット部９、ポンプ部２９、制御部３０、表示灯部３１、電源線３３、プラグ部３４については図１を参照下さい。
【００３１】
先ず、図３において、マットレス装置１に用いられるベッド４６は、固定フレーム４７に背上げ機構４８を備えた構成である。そして、固定フレーム４７の脚部４９が床５０の上に置かれ、背上げ機構４８が水平になった態様において、エアーマットレス４が下になるように、外装体で包まれたマットレス装置１がベッド４６の上に搭載される。
【００３２】
そして、マットレス装置１のプラグ部３４が室内の図外の商用電源部のコンセント部に差し込まれ、制御箱体５の電源スイッチ部が人為的な操作でオン動作され、ポンプ部２９及び制御部３０が作動し、表示灯部３１が正常な作動状態を示す緑色を発光し、エアーマットレス４の複数個のエアーセル２７が膨張し、エアーセル２７の内部の圧力が最大値に到達すると、ポンプ部２９の作動が停止する。
【００３３】
上記のように表示灯部３１が緑色を発光し、エアーセル２７の内部の圧力が最大値に到達した態様において、図３に示すように、マットレス装置１の上に人５１が横たわり、人５１の頭部が第一層２の頭領域１１上に置かれ、人５１の背中部から大腿部までの部分が第一層２の中央領域１２の上に置かれ、人５１の下肢部が第一層２の足領域１３の上に置かれる。そして、上記ように人５１がマットレス装置１の上に横たわると、マットレス装置１に荷重がかかる。
【００３４】
例えば、図示は省略したが、従来の第一層２に縦スリット部８と横スリット部９とが設けられていない静止型のマットレ装置は、複数層のフォームマットレスを積層した構造で、硬さの異なる層を積層していたので、マットレス装置１の上に横たわる人が寝転がった際の臀部や寝返りを打つ際の肩部等の荷重が係る部分はその部分だけ沈み込むといったことができず、沈み込む際に第一層２が全体的に引っ張られ、第一層２がハンモック現象を発生し、第一層２の体圧分散性が悪くなっていた。
【００３５】
これに対し、図２に示すように、発明を実施するための形態１に係るマットレス装置１にあっては、縦スリット部８が短手方向７に広がり、横スリット部９が長手方向６に広がって、第一層２が全体的に人の体重により張りすぎることがなく、第一層２のハンモック現象が抑制される効果がある。
【００３６】
又、図３に示した状態から図４に示したように、背上げ機構４８が図４の仮想線で示す位置から実線で示す位置に起き上がる過程において、第一層２がエアーマットレス４の上を矢印５２で示すように上方に滑ってずれて横たわる人５１の臀部や背中に圧迫感を与えないようになっている。上記背上げ機構４８の第一層２がエアーマットレス４の起き上がりに伴い、第一層２が上方に滑るのは、複数個のエアーセル２７が中空な筒状に造形された構成により、第一層２とエアーマットレス４との接触面積が低減されて滑りやくなっているからである。
【００３７】
第一層２の下の層として、エアーマットレス４に代えて、ウレタンフォームからなるフォームマットレスを用いても適用可能である。
【符号の説明】
【００３８】
１はマットレス装置、２は第一層、３は欠番、４はエアーマットレス、５は制御箱体、６は長手方向、７は短手方向、８は縦スリット部、９は横スリット部、１０は上下方向、１１は頭領域、１２は中央領域、１３は足領域、１４は中心線、１５；１６は直線、１７乃至２６は欠番、２７はエアーセル、２８は欠番、２９はポンプ部、３０は制御部、３１は表示灯部、３２はエアーホース、３３は電源線、３４はプラグ部、３５乃至４５は欠番、４６はベッド、４７は固定フレーム、４８は背上げ機構、４９は脚部、５０は床、５１は人、５２乃至５４は欠番、５５は背上げ機構、５６はベッド、５７乃至６０は欠番、６１はマットレス装置、６２は第一層、６３は第二層、６４は第三層、６５；６６は滑り部材、６７は人。
【図１】
2015107278.tif 000003
【図２】
2015107278.tif 000004
【図３】
2015107278.tif 000005
【図４】
2015107278.tif 000006
【図５】
2015107278.tif 000007
【図６】
2015107278.tif 000008